(57)【要約】【課題】  基材に温度の影響で変形が発生することを防止可能な変形防止可能な基材の構造を提供する。【解決手段】  第一側１２および第二側１４を備える基材主体１０と、基材主体１０の第一側１２および第二側１４の上に設けられる保護層２０を有する。基材主体１０は、環状オレフィン重合物（Ｃｙｃｌｉｃ  Ｏｌｅｆｉｎｓ  Ｐｏｌｙｍｅｒ、ＣＯＰ）または環状オレフィン共重合物（Ｃｙｃｌｉｃ  Ｏｌｅｆｉｎｓ  Ｃｏｐｏｌｙｍｅｒ、ＣＯＣ）により形成される。低吸水性のＣＯＰおよびＣＯＣにより、基材本体１０の含有水分を極めて減少させることが可能である。二つの保護層２０は、ポリメタクリル酸メチル（Ｐｏｌｙｍｅｔｈｙｌ  ｍｅｔｈａｃｒｙｌａｔｅ、ＰＭＭＡ）またはポリ炭酸エステル（Ｐｏｌｙｃａｒｂｏｎａｔｅ、ＰＣ）のいずれか一つにより形成される。二つの保護層は基材主体の硬度より高い材料により形成される。【選択図】    図１
0003105529.tif 000002
【実用新案登録請求の範囲】
【請求項１】
第一側および第二側を備える基材主体を有し、かつ第一側および第二側の上にそれぞれ保護層を有し、そのうちの基材主体が環状オレフィン重合物により形成され、二つの保護層が基材主体の硬度より高い材料により形成されていることを特徴とする変形防止可能な基材の構造。
【請求項２】
基材主体は、環状オレフィン共重合物により形成されることを特徴とする請求項１に記載の変形防止可能な基材の構造。
【請求項３】
保護層は、ポリメタクリル酸メチルにより形成されることを特徴とする請求項１に記載の変形防止可能な基材の構造。
【請求項４】
保護層は、ポリカーボネートにより形成されることを特徴とする請求項１に記載の変形防止可能な基材の構造。
【請求項５】
二つの保護層は、共同押出し方法またはコーティング方法（ｃｏａｔｉｎｇ）または蒸着方法のいずれか一つにより基材主体に設置されていることを特徴とする請求項１に記載の変形防止可能な基材の構造。
【請求項６】
保護層は、厚さが１μｍ以上であることを特徴とする請求項１に記載の変形防止可能な基材の構造。
【請求項７】
基材主体は、厚さが０．５ｍｍ以上であり、保護層は、厚さが１μｍ以上であることを特徴とする請求項１に記載の変形防止可能な基材の構造。
【請求項８】
基材主体は、厚さが１ｍｍから５ｍｍの間であり、保護層は、厚さが５０μｍから５００μｍの間であることを特徴とする請求項１に記載の変形防止可能な基材の構造。
【請求項９】
基材主体と保護層は、厚さの比較値が１／５以下であることを特徴とする請求項１に記載の変形防止可能な基材の構造。
【請求項１０】
保護層は、硬度が１Ｈ以上であることを特徴とする請求項１に記載の変形防止可能な基材の構造。
【考案の詳細な説明】
【技術分野】
【０００１】
本考案は、光学ユニットに関し、特に変形防止可能な基材の構造に関するものである。
【背景技術】
【０００２】
一般に多くの光学板は、ポリメタクリル酸メチル（Ｐｏｌｙｍｅｔｈｙｌ  ｍｅｔｈａｃｒｙｌａｔｅ、ＰＭＭＡ）またはポリカーボネート（Ｐｏｌｙｃａｒｂｏｎａｔｅ、ＰＣ）から形成されるものである。この二種の材料はともに比較的高い吸水性（ｗａｔｅｒ  ａｂｓｏｒｐｔｉｏｎ）を有する。ＰＭＭＡの吸水性は、試験標準ＡＳＴＭ  Ｄ５７０で試験した結果が０．３％となり、ＰＣの吸水性は、同じ試験標準で試験した結果が０．２％となる。
【考案の開示】
【考案が解決しようとする課題】
【０００３】
図３から図５に示すように、周知のバックライト５０は、複数のランプ５４を装着されるフレーム５２および拡散板５６を有する。拡散板５６はランプ５４に向かい合う第一側５６１と、第一側５６１の反対側の第二側５６２を有する。図３では、拡散板５６の吸収した水分が点で表示される。図４に示すように、ライトアップした時、第一側５６１はランプ５４の照射を直接に受けるため、含有水分が蒸発する。すると、拡散板５６は、第一側５６１に近い部分の含有水分が第二側５６２に近い部分の含有水分より少なくなる。言い換えれば、拡散板５６は第一側５６１に近い部分の材料特性と第二側５６２に近い部分の材料特性が一致しなくなる。また第一側５６１はランプ５４の照射を直接に受け、その表面温度が第二側５６２より高いため、第一側５６１と第二側５６２に変形が発生する量は一致しなく、図５に示すように拡散板５６には変形が発生する。
【０００４】
上述の問題に鑑み、本考案者はＰＭＭＡ板またはＰＣ板の両側に、環状オレフィン重合物（Ｃｙｃｌｉｃ  Ｏｌｅｆｉｎｓ  Ｐｏｌｙｍｅｒ、ＣＯＰ）または環状オレフィン共重合物（Ｃｙｃｌｉｃ  Ｏｌｅｆｉｎｓ  Ｃｏｐｏｌｙｍｅｒ、ＣＯＣ）から形成される隔離層を設ける特許出願を請求した。これは二つの低吸水性のある隔離層により前述の板材料を変形させるという問題を防止可能であったが、ＣＯＰまたはＣＯＣの硬度が比較的低く（約ＨＢからＨの間）、耐油性に弱いため、板材料を外界に露出する場合、傷つくことや、油脂に浸食されることがある。
【０００５】
したがって本考案の目的は、基材に温度の影響で変形が発生することを防止可能な変形防止可能な基材の構造を提供することにある。
本考案のもう一つの目的は、表面層が傷つくにくく、油脂に浸食されにくい変形防止可能な基材の構造を提供することにある。
【課題を解決するための手段】
【０００６】
上述の目的を達成するために本考案の請求項に記載の変形防止可能な基材の構造は、第一側および第二側を備える基材主体を有し、かつ第一側および第二側の上にそれぞれ保護層を有する。そのうちの基材主体は環状オレフィン重合物（Ｃｙｃｌｉｃ  Ｏｌｅｆｉｎｓ  Ｐｏｌｙｍｅｒ）により形成され、二つの保護層が基材主体の硬度より高い材料により形成されるものである。
【考案を実施するための最良の形態】
【０００７】
以下、本考案の実施例を図面に基づいて説明する。
図１は本考案による実施例の断面図である。図２は本考案による実施例の断面図で、基板をバックライトに適用する拡散板を示す図である。
【０００８】
図１に示すように、本考案の実施例による変形防止可能な基材の構造１は、第一側１２および第二側１４を備える基材主体１０と、基材主体１０の第一側１２および第二側１４の上に設けられる保護層２０を有するものである。
【０００９】
基材主体１０は、環状オレフィン重合物（Ｃｙｃｌｉｃ  Ｏｌｅｆｉｎｓ  Ｐｏｌｙｍｅｒ、ＣＯＰ）または環状オレフィン共重合物（Ｃｙｃｌｉｃ  Ｏｌｅｆｉｎｓ  Ｃｏｐｏｌｙｍｅｒ、ＣＯＣ）により形成されるものである。ＣＯＰまたはＣＯＣは熱可塑性樹脂であって、高透明性、低吸水性、低収縮率、低双屈折率、高耐熱性、寸法安定性、低誘電係数などの特性を有する。ＣＯＰおよびＣＯＣの吸水性は、試験標準ＡＳＴＭ  Ｄ５７０で試験した結果が、０．０１％以下となる。従って、低吸水性のＣＯＰおよびＣＯＣにより、基材本体１０の含有水分を極めて減少させることが可能となり、先行技術における基材１の一面が熱を受けて変形する現象は発生しない。
【００１０】
二つの保護層２０は、ポリメタクリル酸メチル（Ｐｏｌｙｍｅｔｈｙｌ  ｍｅｔｈａｃｒｙｌａｔｅ、ＰＭＭＡ）またはポリカーボネート（Ｐｏｌｙｃａｒｂｏｎａｔｅ、ＰＣ）のいずれか一つにより形成されるものである。ＰＭＭＡは硬度が２Ｈから３Ｈの間であり、ＰＣは硬度がＨから２Ｈの間である。両者とも硬度がＣＯＰおよびＣＯＣより高く、耐油性に優れた。二つの保護層２０を基材主体１０に被せることで、基材主体を外に露出することなく、傷つかないか油脂に浸食されないように保護可能である。
【００１１】
二つの保護層２０を基材主体１０に設ける方法は、共同押出し方法（ｃｏ−ｅｘｔｒｕｓｉｏｎ）またはコーティング方法（ｃｏａｔｉｎｇ）または蒸着方法（ｅｖａｐｏｒａｔｉｏｎ）のいずれか一つである。コーティング方法は、浸せきコーティング（ｄｉｐ  ｃｏａｔｉｎｇ）またはスリットコーティング（ｓｌｉｔ  ｃｏａｔｉｎｇ）またはスピンコーティング（ｓｐｉｎ  ｃｏａｔｉｎｇ）のいずれか一つである。蒸着方法は、化学蒸着（ｃｈｅｍｉｃａｌ  ｖａｐｏｒ  ｄｅｐｏｓｉｔｉｏｎ、ＣＶＤ）または物理蒸着（ｐｈｙｓｉｃａｌ  ｖａｐｏｒ  ｄｅｐｏｓｉｔｉｏｎ、ＰＶＤ）である。
【００１２】
ＰＭＭＡまたはＰＣにより形成される保護層２０は、ＣＯＰまたはＣＯＣから形成される基材主体１０より吸水性が高い（ＰＭＭＡの吸水性は試験標準ＡＳＴＭ  Ｄ５７０で試験した結果が０．３％となり、ＰＣの吸水性は同じ試験標準で試験した結果が０．２％となる）が、二つの保護層２０と基材主体１０の厚さの比例を１／５以下に設定する場合、基材の一面だけ熱を受けるとしても、変形現象は発生しない。本実施例では、基材主体１０は、厚さが０．５ｍｍ以上であり、保護層２０は、厚さが１ｕｍ以上である。そして一番好ましいのは、基材主体１０の厚さが１ｍｍから５ｍｍの間、保護層２０の厚さが５０ｕｍから５００ｕｍの間である
【００１３】
図２は本実施例による基材１をバックライト３０に適用した状態を示す図である。バックライト３０は、その上に複数のランプ３４および本実施例による基材から形成される拡散板３６が装着されるフレーム３２を有する。拡散板３６は環状オレフィン重合物（Ｃｙｃｌｉｃ  Ｏｌｅｆｉｎｓ  Ｐｏｌｙｍｅｒ、ＣＯＰ）から形成される基材主体３８と、二つのポリカーボネート（Ｐｏｌｙｃａｒｂｏｎａｔｅ、ＰＣ）から形成される保護層４０を備える。基材主体３８は、吸水性が極めて低いため、拡散板３６の含有水分がかなり少ない。従ってランプ３４がライトアップしたとしても、拡散板には水分が蒸発し変形が発生することがない。
【００１４】
本考案による変形防止可能な基材の構造は、直下式バックライトの拡散板、傾斜式バックライトの反射板、画面保護板、光学レンズ、ディスプレイなどに適用可能である。
【図面の簡単な説明】
【００１５】
【図１】本考案の実施例による変形防止可能な基材の構造を示す断面図である。
【図２】本考案の実施例による変形防止可能な基材の構造の基板をバックライトに適用する拡散板を示す図である。
【図３】直下式バックライトの拡散板とランプを示す図であって、拡散板の含有水分及びまだライトアップしてないランプを示す図である。
【図４】図３においてランプをライトアップすることにより拡散板の含有水分が部分的に蒸発することを示す図である。
【図５】図３において拡散板の両面における温度及び含有水分が異なるため変形が発生したことを示す図である。
【符号の説明】
【００１６】
１  基材、１０  基材主体、１２  第一側、１４  第二側、２０  保護層、３０  バックライト、３２  フレーム、３４  ランプ３６  拡散板、３８  基材主体、４０  保護層、５０  周知のバックライト、５２  フレーム、５４  ランプ、５６  拡散板、５６１  第一側、５６２  第二側
【図１】
0003105529.tif 000003
【図２】
0003105529.tif 000004
【図３】
0003105529.tif 000005
【図４】
0003105529.tif 000006
【図５】
0003105529.tif 000007